(57)【特許請求の範囲】
【請求項１】
周方向に沿って複数の係合孔を有する筒状のケースと、前記係合孔に係合する複数の係合突起を有して前記ケース内に変位可能に組み込まれる有底筒状の操作体と、該操作体の変位によって作動するスイッチ本体と、該スイッチ本体の作動に応じて動作する光源とを備え、
前記操作体は、その底部が前記ケースの上部に、開放端がケースの下部に位置するように組み込まれるとともに、前記底部が操作面側とされ、前記開放端側の周壁には、スリットが形成されて複数に分岐されるとともに、分岐された複数の分岐部の外壁に前記係合突起が形成され、
前記操作体の開放された内部空間には、前記係合突起が形成された一対の分岐部の内壁に当接して該分岐部の内方への撓みを阻止してケースとの係合状態を保持する板状の阻止部材が配設され、該阻止部材は、対向して上下に延びて前記分岐部の前記内壁に当接する一対の当接部と両当接部を上部で連結する連結部とを有し、
前記スイッチ本体および前記光源が実装された回路基板を搭載した盤状のベースが、前記ケースの下端開口から該ケースに嵌合連結されて前記スイッチ本体が前記操作体の内部空間内に位置するように組み込まれ、
前記ベースに突設した阻止部を、前記操作体の前記係合突起が形成された複数の前記分岐部の内、前記阻止部材が当接する前記一対の分岐部とは別の分岐部の内壁に当接させることにより該分岐部の内方への撓みを阻止してケースとの係合状態を保持することを特徴とするスイッチ。
【発明の詳細な説明】
【０００１】
【発明の属する技術分野】
本発明は、照光式の押しボタンスイッチなどのスイッチに関する。
【０００２】
【従来の技術】
この種のスイッチ、例えば、照光式の押しボタンスイッチとしては、図８に示されるように、下部に配設されてマイクロスイッチ２０が搭載されたスイッチ用の回路基板２１と、操作面となるガラス板２２に臨むように上部に配設されて図示しないＬＥＤが搭載された照光用の回路基板２３とを備えており、その間をリード線２４で接続しており、ガラス板２２を押圧操作することにより、操作プランジャ２５が下方変位して下部のマイクロスイッチ２０をオンし、上部の図示しないＬＥＤが点灯してガラス板２２が照らされるようになっている。
【０００３】
【発明が解決しようとする課題】
しかしながら、このような従来例の押しボタンスイッチでは、操作面が、過度に押圧操作されるような場合があり、かかる場合の衝撃によっても内部の組みつけ部品が外れるといった虞れがないようにすることが望まれる。
【０００４】
また、操作プランジャ２５によって作動されるマイクロスイッチ２０が搭載されたスイッチ用の回路基板２１は下部に、操作面を照らす照光用の回路基板２３は上部に、それぞれ個別に設ける必要があるために、その分スペースが必要になるとともに、コストが高くつくという難点がある。
【０００５】
本発明は、このような実情に着目してなされたものであって、衝撃が加わっても組みつけ部品が外れるといった虞れのない信頼性が高く、省スペースおよびコストの低減を図ったスイッチを提供することを目的とする。
【０００６】
【課題を解決するための手段】
本発明では、上記目的を達成するために、次のように構成している。
【０００７】
すなわち、本発明のスイッチは、周方向に沿って複数の係合孔を有する筒状のケースと、前記係合孔に係合する複数の係合突起を有して前記ケース内に変位可能に組み込まれる有底筒状の操作体と、該操作体の変位によって作動するスイッチ本体と、該スイッチ本体の作動に応じて動作する光源とを備え、前記操作体は、その底部が前記ケースの上部に、開放端がケースの下部に位置するように組み込まれるとともに、前記底部が操作面側とされ、前記開放端側の周壁には、スリットが形成されて複数に分岐されるとともに、分岐された複数の分岐部の外壁に前記係合突起が形成され、前記操作体の開放された内部空間には、前記係合突起が形成された一対の分岐部の内壁に当接して該分岐部の内方への撓みを阻止してケースとの係合状態を保持する板状の阻止部材が配設され、該阻止部材は、対向して上下に延びて前記分岐部の前記内壁に当接する一対の当接部と両当接部を上部で連結する連結部とを有し、前記スイッチ本体および前記光源が実装された回路基板を搭載した盤状のベースが、前記ケースの下端開口から該ケースに嵌合連結されて前記スイッチ本体が前記操作体の内部空間内に位置するように組み込まれ、前記ベースに突設した阻止部を、前記操作体の前記係合突起が形成された複数の前記分岐部の内、前記阻止部材が当接する前記一対の分岐部とは別の分岐部の内壁に当接させることにより該分岐部の内方への撓みを阻止してケースとの係合状態を保持するものである。
〔作用〕
本発明のスイッチによると、操作体の開放端側の周壁には、スリットが形成されて複数に分岐されているので、操作体を、筒状のケース内に組み込む際に、分岐された部分が内方に撓んで円滑な組み込みが行える一方、操作体の開放された内部空間には、係合突起が形成された一対の分岐部の内壁に当接して該分岐部の内方への撓みを阻止してケースとの係合状態を保持する板状の阻止部材が配設されるとともに、ベースに突設された阻止部が、係合突起が形成された複数の分岐部の内、前記阻止部材が当接する前記一対の分岐部とは別の分岐部の内壁に当接して該分岐部の内方への撓みを阻止するので、過度な操作などによる衝撃が加わっても操作体が内方に撓んで外側のケースの係合孔と係合突起との係合が外れてしまうといったことがない。しかも、操作体の開放された内部空間をスイッチ本体の設置スペースに利用できる。さらに、光源をスイッチ本体と共に同一の回路基板に実装するので、省スペースを図ることができる。
【０００８】
【発明の実施の形態】
以下、本発明の実施の態様を図面に基づいて説明する。
【０００９】
図１は本発明を適用した照光式の押しボタンスイッチの外観斜視図、図２はその分解斜視図、また、図３ないし図６はその縦断側面図である。
【００１０】
この押しボタンスイッチ１は、例えば、エレベータ用の押しボタンスイッチであり、操作体としての操作プランジャ２などが収納されるケース３と、スイッチ本体としてのマイクロスイッチ４および回路基板５などが搭載されるベース６とを有しており、それらが、後述のように分離可能に嵌合連結されている。
【００１１】
ケース３は、樹脂材料で大略円筒状に形成されており、上端縁には、フランジ７が装着されるとともに、内部には、操作プランジャ２などが後述のように組み込まれている。このケース３には、取り付けリング８を螺着して締め上げることで、図示しない操作パネルの取付孔に装着するためのネジ部３ａが形成されている。
【００１２】
ケース３の周方向の四カ所には、操作プランジャ２を上下方向に操作変位可能に組みつけるための矩形の係合孔３ｂが形成されており、透明の樹脂材料からなる操作プランジャ２の外周の四カ所には、前記係合孔３ｂに係合する係合突起２ａが形成されており、操作プランジャ２は、これら係合突起２ａをケース３の係合孔３ｂに係合させてケース３内に操作変位可能に組みつけられる。
【００１３】
また、ケース３の下部には、対向する一対の脚部３ｃが下方に向けて片持ち状に延出されるとともに、大略円盤状の樹脂製のベース６の下部には、ケース３の脚部３ｃに対応する一対の脚部６ａが延出形成されており、ケース３の各脚部３ｃには、係合孔３ｄが形成される一方、ベース６の各脚部６ａには、各係合孔３ｄにそれぞれ係合する係合突起６ｂが形成されている。ケース３内に、操作プランジャ２などを装着した後に、これら脚部３ｃ，６ａを互いに係合させることで、ケース３およびベース６とが相対的に位置決めされた状態で嵌合連結される。
【００１４】
操作プランジャ２は、有底筒状に形成されており、筒状のケース３内に挿入して組みつける際に、内方に撓んで円滑に組みつけできるように、下部の開放端側の周壁には、長手方向に沿うスリット２ｂが、周方向に複数箇所形成されて分岐されている。これら分岐部の内、対向する４つの分岐部の外周に、上述の係合突起２ａがそれぞれ形成されている。
【００１５】
また、操作プランジャ２の上部端面には、表示プレート９および操作面を構成するガラス板１０が載置されてケース３に組みつけられる。この操作プランジャ２の下部は開放されて内部にマイクロスイッチ４などを収納する空間が構成されており、この内部空間には、図３に示されるように、上部内壁からマイクロスイッチ４のレバー４ａを押圧する押圧部２ｃが下方に向けて突設されるとともに、復帰付勢する一対のバネ１１を装着するための一対の装着用突起２ｄが図４に示されるように下方に向けて突設される。さらに、係合突起２ａが形成されている一対の分岐部の内壁には、後述の阻止部材としてのプレート１２を、案内保持する一対の保持溝２ｅが、上下方向に沿って形成されるとともに、このプレート１２の抜け出しを防止するための係止突起としてフック２ｆが、上部内壁から下方に向けて突設される。
【００１６】
この操作プランジャ２は、上述のように、ケース３の周方向の四カ所に形成された係合孔３ｂに、該操作プランジャ２の４つの分岐部の外周にそれぞれ形成された係合突起２ａを係合させることにより、いわゆるスナップフィットで操作変位可能に組みつけられるのであるが、この実施の形態では、このスナップフィットによる係合部が、操作面１０ａの過度の押圧操作等による衝撃などによって外れて操作プランジャ２がケース３から抜け出すようなことがないように、操作プランジャ２の内部空間に、該操作プランジャ２の係合突起２ａが形成された一対の分岐部の内方への撓みを阻止する金属製のプレート１２を装着している。
【００１７】
このプレート１２は、対向して延びる一対の当接部１２ａと両当接部１２ａを連結する連結部１２ｂとを有して大略コの字の板状に形成されており、連結部１２ｂには、プレート１２が操作プランジャ２の内部空間から抜け出すことがないように、操作プランジャ２の内部に突設されたフック２ｆに係止する係止孔１２ｃが形成されている。
【００１８】
操作プランジャ２をケース３に変位可能に組みつけた後に、このプレート１２を、図７の操作プランジャ２の下方から見た平面図にも示されるように、操作プランジャ２の一対の分岐部の内壁に形成された一対の保持溝２ｅに、当接部１２ａを下方から挿入して連結部１２ｂの係止孔１２ｃを、操作プランジャ２のフック２ｆに係止させて装着する。
【００１９】
これによって、一対の係合突起２ａが形成された操作プランジャ２の分岐部が内方に撓むことがプレート１２で阻止されることになり、これによって、操作プランジャ２の一対の分岐部の係合突起２ａとケース３の係合孔３ｂとの係合が外れるのが有効に防止される。
【００２０】
この実施の形態では、円盤状の回路基板５には、操作プランジャ２の変位によって作動されるマイクロスイッチ４および抵抗１３が実装されるとともに、操作面１０ａの縁、すなわち表示プレート９の周囲を照らすための光源としての複数のＬＥＤ１４が周方向に沿って実装され、さらに、ベース６を介してコネクタ１５が実装される。なお、この回路基板５には、ベース６の突設部が挿通する挿通孔５ａが形成されている。
【００２１】
各ＬＥＤ１４は、操作プランジャ２の周壁の下端に臨むように配置されており、操作プランジャ２によって各ＬＥＤ１４の光が、上部の操作面１０ａに拡散されて導かれるように構成されている。このように操作プランジャ２によってＬＥＤ１４の光を上部の操作面１０ａに導くので、下部に配置されるマイクロスイッチ４と共に同一の回路基板５にＬＥＤ１４を実装することが可能となり、上述の従来例のように、スイッチ用の基板と照光用の基板とを個別に設ける必要がなく、その分コストの低減を図ることができるとともに、省スペースを図ることができる。しかも、マイクロスイッチ４を作動させる操作プランジャ２によって光を操作面１０ａに導くので、導光手段を別途設ける必要がない。
【００２２】
樹脂製のベース６には、回路基板５に実装されるマイクロスイッチ４のリード端子４ｂおよびコネクタ１５の端子１５ａが挿通する挿通孔６ｃ，６ｄが形成される一方、マイクロスイッチ４のレバー４ａの基端部を支持する支持柱６ｅが立設されるとともに、操作プランジャ２を復帰付勢する一対のバネ１１をそれぞれ受ける受け部６ｆが対向して突設され、さらに、後述のように、操作プランジャ２の係合突起２ａが形成された一対の分岐部の内方への撓みを阻止してケース３と操作プランジャ２との係合が外れるのを防止する一対の抜け止め防止用突起６ｇが図６に示されるように対向して形成されている。
【００２３】
すなわち、この実施の形態では、操作プランジャ２の係合突起２ａが形成された４つの分岐部の内の対向する一対の分岐部は、操作プランジャ２の内部に装着されるプレート１２によって内方への撓みが阻止され、このプレートに直交する位置の係合突起２ａが形成された一対の分岐部には、ベース６から突設された抜け止め防止突起６ｇがその下端側の内部に入り込んで内方へ撓みが阻止されるようになっている。
【００２４】
これによって、衝撃などによってケース３と該ケース３に組み込まれた操作プランジャ２との係合が外れるといったことを確実に防止することができる。
【００２５】
以上のように構成された押しボタンスイッチ１では、操作面１０ａを押圧操作すると、操作プランジャ２が、バネ１１の付勢力に抗して下方へ変位してその内部の押圧部２ｃが、マイクロスイッチ４のレバー４ａを押圧してマイクロスイッチ４を作動させ、これによって、複数のＬＥＤ１４が点灯してその光が操作プランジャ２によって上部の操作面１０ａに拡散して導かれて表示プレート９の縁を照らすものである。
【００２６】
この実施の形態では、操作プランジャ２の押圧部２ｃは、図３に示されるように、マイクロスイッチ４のレバー４ａの基端側を押圧して遊端側の操作部４ｃを操作するので、操作面１０ａの僅かな操作ストロークで、マイクロスイッチ４を作動させることができる。
【００２７】
上述の実施の形態では、複数のＬＥＤ１４を周方向に沿って配置して操作プランジャ２を介して操作面１０ａの縁を照らしたけれども、本発明の他の実施の形態として、操作面１０ａの全面を照らすようにしてもよい。
【００２８】
【発明の効果】
以上のように本発明によれば、操作体の周壁は、複数に分岐されているので、操作体を、筒状のケース内に組み込む際に、分岐された部分が内方に撓んで円滑な組み込みが行える一方、操作体の開放された内部空間には、係合突起が形成された分岐部の内壁に当接して内方への撓みを阻止してケースとの係合状態を保持する板状の阻止部材が配設されるとともに、ベースに突設された阻止部が、前記分岐部とは別の分岐部の内壁に当接して該分岐部の内方への撓みを阻止するので、過度な操作などによる衝撃が加わっても操作体が内方に撓んで外側のケースの係合孔と操作体の係合突起との係合が外れてしまうといったことがなく、信頼性の高いスイッチとなる。しかも、操作体の開放された内部空間をスイッチ本体の設置スペースに有効に利用できる。さらに、光源をスイッチ本体と共に同一の回路基板に実装することができるので、個別の基板を設けていた従来例に比べて、コストの低減を図ることができるとともに、省スペースを図ることができる。
【図面の簡単な説明】
【図１】  本発明に係る押しボタンスイッチ全体の外観斜視図である。
【図２】  スイッチ全体の分解斜視図である。
【図３】  図１の縦断側面図である。
【図４】  図１の縦断側面図である。
【図５】  図１の縦断側面図である。
【図６】  図１の縦断側面図である。
【図７】  図１の操作プランジャの平面図である。
【図８】  従来例の断面図である。
【符号の説明】
１        押しボタンスイッチ
２        操作プランジャ
３        ケース
４        マイクロスイッチ
５        回路基板
６        ベース
１２      プレート
【図１】
0003644258.tif 000002
【図２】
0003644258.tif 000003
【図３】
0003644258.tif 000004
【図４】
0003644258.tif 000005
【図５】
0003644258.tif 000006
【図６】
0003644258.tif 000007
【図７】
0003644258.tif 000008
【図８】
0003644258.tif 000009